(57)【特許請求の範囲】
【請求項１】
Ｘ線管と、鉛が添加された銅合金の板によって構成され、Ｘ線出射用の開口を有しこの開口以外からのＸ線の出射を阻止するように前記Ｘ線管を包含するＸ線管容器と、電気絶縁材料からなり前記Ｘ線管容器内で前記Ｘ線管を支持する支持部材と、を具備することを特徴とするＸ線発生装置。
【請求項２】
前記銅合金の板は、隣接するもの同士の対向面が前記Ｘ線管から放射されるＸ線の方向と交差する傾きを有する、ことを特徴とする請求項１に記載のＸ線発生装置。
【請求項３】
Ｘ線管と、鉛が添加された銅合金の板および鉛とエポキシラミネーテッド・グラスクロスシートとを中間層が鉛となるように積層してなる複合材の板の組み合わせによって構成され、Ｘ線出射用の開口を有しこの開口以外からのＸ線の出射を阻止するように前記Ｘ線管を包含するＸ線管容器と、電気絶縁材料からなり前記Ｘ線管容器内で前記Ｘ線管を支持する支持部材と、を具備することを特徴とするＸ線発生装置。
【請求項４】
前記Ｘ線管容器は、前記Ｘ線管から相対的に遠い部分が前記銅合金の板で構成され、前記Ｘ線管に相対的に近い部分が前記複合材の板で構成される、ことを特徴とする請求項３に記載のＸ線発生装置。
【請求項５】
前記銅合金の板および前記複合材の板は、隣接するもの同士の対向面が前記Ｘ線管から放射されるＸ線の方向と交差する傾きを有する、ことを特徴とする請求項３または請求項４に記載のＸ線発生装置。
【請求項６】
前記銅合金は鉛の比率が２１％以上かつ２６％以下である、ことを特徴とする請求項１ないし請求項５のうちのいずれか１つに記載のＸ線発生装置。
【請求項７】
前記銅合金の板は厚みが少なくとも６ｍｍである、ことを特徴とする請求項１ないし請求項６のうちのいずれか１つに記載のＸ線発生装置。
【請求項８】
前記複合材の板は前記中間層の厚みが少なくとも２ｍｍである、ことを特徴とする請求項３ないし請求項５のうちのいずれか１つに記載のＸ線発生装置。
【発明の詳細な説明】
【０００１】
【発明の属する技術分野】
本発明は、Ｘ線発生装置に関し、とくに、Ｘ線管を用いるＸ線発生装置に関する。
【０００２】
【従来の技術】
Ｘ線管を用いるＸ線発生装置では、Ｘ線管が発生するＸ線のうち対象に照射するＸ線以外は外部に漏れないようにするために、Ｘ線遮蔽が行われる。Ｘ線遮蔽には鉛が用いられる。
【０００３】
Ｘ線管をそれに電気エネルギー（ｅｎｅｒｇｙ）を供給する高電圧回路とともに単一の容器に収容する方式のインテグレート（ｉｎｔｅｇｒａｔｅ）型のＸ線発生装置等においては、Ｘ線遮蔽は、Ｘ線管の外面にＸ線出射面を除いて鉛板を筒状に貼り付けること等により行われる。鉛板の貼り付けはエポキシ（ｅｐｏｘｙ）樹脂等を用いて行われる。
【０００４】
Ｘ線管および高電圧回路を収容した容器内は電気絶縁性の液体で満たされ、Ｘ線管が発生する熱をこの液体を通じて容器壁に伝達し、容器壁から外部に発散するようになっている。
【０００５】
【発明が解決しようとする課題】
外面に鉛板が貼り付けられたＸ線管は、鉛の熱伝導率がそれほど高くなく、また、鉛板との間に金属よりもはるかに熱伝導率が低いエポキシ樹脂が介在することにより、発生した熱を周囲の液体に効率良く伝えることができない。
【０００６】
そこで、本発明の課題は、熱伝導性の良いＸ線遮蔽手段を備えたＸ線発生装置を実現することである。
【０００７】
【課題を解決するための手段】
（１）上記の課題を解決するためのひとつの観点での発明は、Ｘ線管と、鉛が添加された銅合金の板によって構成され、Ｘ線出射用の開口を有しこの開口以外からのＸ線の出射を阻止するように前記Ｘ線管を包含するＸ線管容器と、電気絶縁材料からなり前記Ｘ線管容器内で前記Ｘ線管を支持する支持部材と、を具備することを特徴とするＸ線発生装置である。
【０００８】
（１）に記載の観点での発明では、鉛が添加された銅合金の板によってＸ線管容器を構成したので、熱伝導性の良いＸ線遮蔽手段を備えたＸ線発生装置を実現することができる。
【０００９】
前記銅合金の板は、隣接するもの同士の対向面が前記Ｘ線管から放射されるＸ線の方向と交差する傾きを有することが、Ｘ線の遮蔽性を高める点で好ましい。（２）上記の課題を解決するための他の観点での発明は、Ｘ線管と、鉛が添加された銅合金の板および鉛とエポキシラミネーテッド・グラスクロスシートとを中間層が鉛となるように積層してなる複合材の板の組み合わせによって構成され、Ｘ線出射用の開口を有しこの開口以外からのＸ線の出射を阻止するように前記Ｘ線管を包含するＸ線管容器と、電気絶縁材料からなり前記Ｘ線管容器内で前記Ｘ線管を支持する支持部材と、を具備することを特徴とするＸ線発生装置である。
【００１０】
（２）に記載の観点での発明では、鉛が添加された銅合金の板および鉛とエポキシラミネーテッド・グラスクロスシートとを中間層が鉛となるように積層してなる複合材の板の組み合わせによってＸ線管容器を構成したので、熱伝導性の良いＸ線遮蔽手段を備えたＸ線発生装置を実現することができる。
【００１１】
前記Ｘ線管容器は、前記Ｘ線管から相対的に遠い部分が前記銅合金の板で構成され、前記Ｘ線管に相対的に近い部分が前記複合材の板で構成されることが、Ｘ線管容器の絶縁耐圧を高める点で好ましい。
【００１２】
前記銅合金の板および前記複合材の板は、隣接するもの同士の対向面が前記Ｘ線管から放射されるＸ線の方向と交差する傾きを有することが、Ｘ線の遮蔽性を高める点で好ましい。
【００１３】
前記銅合金は鉛の比率が２１％以上かつ２６％以下であることが、Ｘ線遮蔽性と熱伝導性を両立させる点で好ましい。
前記銅合金の板は厚みが少なくとも６ｍｍであることが、Ｘ線遮蔽性を良くする点で好ましい。
【００１４】
前記複合材の板は前記中間層の厚みが少なくとも２ｍｍであることが、Ｘ線遮蔽性を良くする点で好ましい。
【００１５】
【発明の実施の形態】
以下、図面を参照して本発明の実施の形態を詳細に説明する。なお、本発明は実施の形態に限定されるものではない。図１にＸ線透視装置用のＸ線照射・検出装置の模式的構成を示す。同図に示すように、Ｘ線照射・検出装置では、照射部１と検出部３が、Ｃ字状の支持腕５の両端にそれぞれ支持され空間を隔てて互いに対向している。支持腕５はスタンド７によって支持されている。
【００１６】
照射部１と検出部３の間の空間には透視の対象９がクレードル１１に搭載されて搬入される。照射部１はＸ線管を内蔵し、破線で示すように、Ｘ線焦点Ｆから発散するコーン（ｃｏｎｅ）状のＸ線ビーム（ｂｅａｍ）を対象９に照射する。対象９を透過したＸ線が検出部３によって検出される。以下に説明する本発明の実施の形態の一例は、例えばこのようなＸ線照射・検出装置における照射部１として用いられる。
【００１７】
図２に、Ｘ線発生装置の電気的構成をブロック（ｂｌｏｃｋ）図によって示す。同図に示すように、本装置はインバータ（ｉｎｖｅｒｔｅｒ）１０を有する。インバータ１０は、図示しない外部直流電源から与えられる直流を例えば数十ｋＨｚ程度の周波数の交流に変換して高電圧発生回路１２に入力する。高電圧発生回路１２は、入力の交流をトランス（ｔｒａｎｓｆｏｒｍｅｒ）で昇圧しかつ整流して正負一対の直流の高電圧を発生する。正負一対の直流の高電圧は例えば＋６０ｋＶおよび−６０ｋＶである。正の直流高電圧はＸ線管１４のアノード（ａｎｏｄｅ）に印加される。負の直流高電圧はＸ線管１４とカソード（ｃａｔｈｏｄｅ）に印加される。これによってアノード・カソード間には例えば１２０ｋＶの電圧が加わる。
【００１８】
アノード電圧およびカソード電圧は、電圧センサ１６，１６’によってそれぞれ検出され、制御回路１８にフィードバック（ｆｅｅｄｂａｃｋ）される。制御回路１８は、アノード電圧およびカソード電圧がそれぞれ所定の電圧となるようにインバータ１０を制御する。制御回路１８には図示しない外部指令装置から制御指令が与えられる。制御回路１８はその制御指令の下でＸ線照射制御を行う。
【００１９】
図３に、本装置の外観を略図によって示す。なお、本装置の外観は上部カバー（ｃｏｖｅｒ）をはずした状態で示す。図４には、本装置を構成要素に分解した状態で示す。本装置は本発明の実施の形態の一例である。本装置の構成によって、本発明の装置に関する実施の形態の一例が示される。
【００２０】
両図に示すように、本装置はケース（ｃａｓｅ）１１０を有する。ケース１１０は上部が大きく開口した概ね長方形の金属ケースである。金属としては例えばアルミニウム（Ａｌ）合金等が用いられる。ケース１１０は側壁の１つを上方の延長してなる延長壁１１２を有する。延長壁１１２が形成された個所の側壁は二重壁となっている。
【００２１】
ケース１１０の中には、Ｘ線管容器１２０および高電圧部１３０が取り付けられている。これらはＸ線管容器１２０が上になるようにして取り付けられている。Ｘ線管容器１２０はＸ線管を内蔵している。高電圧部１３０はＸ線管容器１２０内のＸ線管にアノード・カソード間電圧を供給する。高電圧部１３０は外側が電気絶縁材料で覆われ、これによってケース１１０の内面との間の絶縁を確保するようになっている。高電圧部１３０には、図２に示した高電圧発生回路１２および電圧センサ１６，１６’が含まれる。また、Ｘ線管にフィラメント（ｆｉｌａｍｅｎｔ）電流を供給する回路も含まれる。
【００２２】
Ｘ線管容器１２０は上面にＸ線出射用の開口１２２を有する。Ｘ線管容器１２０はＸ線不透過性の材料によって構成され、開口１２２以外からはＸ線を出射しない構成になっている。Ｘ線管容器１２０の構成および材料並びにＸ線管容器１２０の内部のＸ線管支持機構については後にあらためて説明する。
【００２３】
Ｘ線管容器１２０および高電圧部１３０を収容した状態で、ケース１１０の開口が蓋１４０によって密閉される。蓋１４０は、Ｘ線管容器１２０の開口１２２に対応する個所にＸ線出射窓１４２を有する。Ｘ線出射窓１４２はＸ線透過性の薄板で密閉された窓である。薄板の材料としては例えばアルミニウム等が使用される。
【００２４】
密閉された状態で、ケース１１０には例えば油等の電気絶縁性の液体が充填される。注入された液体は開口１２２を通じてＸ線管容器１２０内にも充満する。液体の充填は蓋１４０に設けられた注入口１４４を通じて行われる。なお、注入口は逆止弁を有しいったん注入した液は外部に漏れないようになっている。
【００２５】
蓋１４０は、また、内部液体の温度膨張を吸収するためのベロー（ｂｅｌｌｏｗ）１４６を備えている。なお、ベロー１４６は内部液の膨張収縮に応じて容積が変化する小型の容器である。
【００２６】
延長壁１１２の内面には回路基板１５２が取り付けられている。回路基板１５２は、下半分をケース１１０の二重壁の間に挿入した状態で取り付けられる。回路基板１５２上には、図２に示したインバータ１０の回路が形成されている。インバータ１０と高電圧発生回路１２との接続は、蓋１４０を液密に貫通する電気経路（図略）を通じて行われる。
【００２７】
蓋１４０の上には回路基板１５４，１５６，１５８が取り付けられている。回路基板１５４は、蓋１４０の上面にＸ線出射窓１４２を避け板面が平行になるようにして取り付けられている。回路基板１５６，１５８は、支持具１６６，１６８を介して蓋１４０の周辺に板面を蓋１４０の上面に垂直にして取り付けられている。回路基板１５２〜１５８はいずれもＸ線出射窓１４２から出射されたＸ線が当たらない位置に取り付けられている。
【００２８】
回路基板１５４，１５６，１５８には、図２に示した制御回路１８が適宜の機能ごとに分けて形成されている。制御回路１８と電圧センサ（ｓｅｎｓｏｒ）１６，１６’との接続は、蓋１４０を液密に貫通する電気経路（図略）を通じて行われる。
【００２９】
図５および図６に、２つの方向から見たＸ線管容器１２０の外観を略図によってそれぞれ示す。なお、図６は上板およびＸ線管をはずした状態での外観を示す。同図に示すように、Ｘ線管容器１２０は概ね長方形の箱形の容器となっている。Ｘ線管容器１２０は、底板２０２、上板２０４、端板２０６，２０６’および側板２０８，２１０，２１０’の組み合わせによって構成される。上板２０４にはＸ線出射用の開口１２２が設けられている。
【００３０】
底板２０２はＸ線管容器１２０のベース（ｂａｓｅ）を構成する。底板２０２の両端部に、端板２０６，２０６’が互いに対向して底板２０２の上面に垂直に取り付けられている。取り付けは例えばねじ止め等により行われる。以下同様である。端板２０６，２０６’の間には、底板２０２の一方の側に沿って、側板２０８が底板２０２の上面および端板２０６，２０６’の板面に垂直に取り付けられ、また、底板２０２の他方の側に沿って、側板２１０，２１０’が側板２１０を上にして端板２０６，２０６’に垂直に取り付けられている。
【００３１】
端板２０６，２０６’に対する側板２１０，２１０’の取り付けは、例えば、端板２０６，２０６’に形成された溝に側板２１０，２１０’の両端部を嵌合させること等により行われる。側板２１０は底板２０２に対して垂直であり、側板２１０’は底板２０２に向かう傾斜を有する。これら側板２１０，２１０’は、上下につながって外側に屈曲したＸ線管容器１２０の側壁を構成する。上板２０４は、端板２０６，２０６’および側板２０８，２１０の端面によって縁取られる開口を上から塞いでいる。
【００３２】
図７に、Ｘ線管容器１２０の横断面を示す。同図における一点鎖線の円は、Ｘ線管容器１２０の内部に取り付けられる後述のＸ線管３００の外周面を表す。底板２０２、上板２０４および側板２０８，２１０，２１０’のうち、側板２１０，２１０’がその他の板よりもＸ線管の外周面からの距離が短くなっている。
【００３３】
底板２０２、上板２０４、端板２０６，２０６’および側板２０８の材料としては、鉛が添加された銅合金が用いられる。図８に、そのような銅合金の組成を示す。同図に示すように、各成分の比率は、亜鉛（Ｚｎ）が２〜４％、スズ（Ｓｎ）が３．５〜４．５％、ニッケル（Ｎｉ）が１．５〜２．５％、鉛（Ｐｂ）が２１〜２６％で、残りが銅（Ｃｕ）となる。なお、鉛の比率を２１％とした場合の銅合金の組成は図９に示すようになり、鉛の比率を２６％とした場合の銅合金の組成は図１０に示すようになる。
【００３４】
このような組成の銅合金からなる厚さ６ｍｍの板は、厚さ２ｍｍの鉛板と同等のＸ線遮蔽性を有する。したがって、鉛に代わるＸ線遮蔽材料として利用することが可能である。
【００３５】
このような銅合金は、また、真鍮と同等の熱伝導率、比熱および密度を有する。図１１に、真鍮の熱伝導率、比熱および密度を鉛と対比して示す。同図に示すように、真鍮は、熱伝導率が鉛の１０倍以上であり、比熱が３倍程度であり、密度が８割程度である。
【００３６】
したがって、Ｘ線管容器１２０の底板２０２、上板２０４、端板２０６，２０６’および側板２０８を上記の銅合金で構成することにより、鉛と同等のＸ線遮蔽性を有し、かつ、鉛よりも熱伝導性が優れたＸ線管容器を得ることができる。
【００３７】
側板２１０，２１０’の材料としては、エポキシラミネーテッド・グラスクロスシート（ｅｐｏｘｙ  ｌａｍｉｎａｔｅｄ  ｇｌａｓｓ  ｃｌｏｔｈ  ｓｈｅｅｔ）と鉛の複合材料が用いられる。エポキシラミネーテッド・グラスクロスシートは当該技術分野ではＦＲ４とも呼ばれている。そこで、以下、エポキシラミネーテッド・グラスクロスシートをＦＲ４ともいう。
【００３８】
ＦＲ４と鉛の複合材料は、例えば図１２に示すように、鉛を中間層としＲＦ４をその上下の層とする三層構造を持つ。側板２１０，２１０’は、鉛部分の厚みを２ｍｍとしたこのような複合材料の板で構成される。
【００３９】
ＦＲ４は、図１３に電気的諸定数を示すように、優れた電気絶縁性を有するので、Ｘ線管に近接した容器壁の材料として好適である。そして、このように、容器壁をＸ線管に近接させることにより、その分だけＸ線管容器１２０を小さくすることが可能になる。ＦＲ４そのものはＸ線遮蔽性を持たないが、中間層に鉛を有する複合材料とすることによりＸ線遮蔽が可能になる。
【００４０】
なお、Ｘ線管容器１２０が、Ｘ線管の外周面から側板２１０，２１０’までの距離が他の各板と同様に十分にある構成となっている場合は、側板２１０，２１０’も上記の銅合金で構成してもよいのはいうまでもない。
【００４１】
底板２０２、上板２０４および側板２０８，２１０，２１０’は、図７に破線の円で囲んで示すように、隣接する板との対向部をそれぞれ有する。なお、この図では示されないが、端板２０６，２０６’も他の各板との間に対向部を有するのはいうまでもない。
【００４２】
それら各対向部において２つの板の対向面は、Ｘ線管の焦点Ｆから放射されるＸ線の方向と交差するように形成される。すなわち、各対向部における２つの板の対向面はＸ線の放射方向とは非平行となるようにしてある。このため、Ｘ線が２つの板の対向部の隙間から外部に漏洩することがない。
【００４３】
Ｘ線管容器１２０がこのような構成および材料からなることにより、Ｘ線管から放射されたＸ線は、開口１２２から出射されるもの以外はすべて遮蔽される。このようなＸ線管容器１２０にＸ線管３００を収容するので、Ｘ線管３００の外周面には従来のように鉛板をエポキシ樹脂等で貼り付ける必要はなくなる。
【００４４】
したがって、Ｘ線管の熱は効率良く周囲の液体に伝達される。液体の熱はＸ線管容器１２０を構成する熱伝導性が良い各板を通じてその外側の液体に伝達され、さらにはケース１１０を通じて外部に発散される。このようにして効率良くＸ線管の放熱を行うことができる。そして、Ｘ線管の放熱の効率が良いことにより、本装置の温度上昇率が小さくなるので、連続的に稼働可能な時間を長くすることができる。
【００４５】
図１４に、Ｘ線管３００の外観を略図によって示す。同図に示すように、Ｘ線管３００は概ね円柱状の外形を有する。Ｘ線管３００は、両端が閉じた円筒状の透明な管球３０２の中にアノード３０４およびカソード３０６を有する。
【００４６】
Ｘ線管３００は、また、管球３０２のアノード側の端部に基部３１０を有する。基部３１０の端面は、Ｘ線管の管軸に垂直な平面となっている。基部３１０の端面には、ねじ穴３１２および複数のピン穴３１４が端面に垂直に設けられている。これらはいずれも有底の穴である。
【００４７】
ねじ穴３１２は端面の中心に設けられ、複数のピン穴３１４はねじ穴３１２の周囲に分散して配置される。ここでは、ピン穴３１４の数が４である例を示すが、ピン穴３１４の数は４に限らず適宜の複数であってよい。
【００４８】
４つのピン穴３１４は、ねじ穴３１２を中心とする円周上に等間隔に配置される。これによって、ピン穴３１４はねじ穴３１２に関して２つずつ互いに反対側に位置するものとなる。また、ねじ穴３１２に関して互いに対称的となる。なお、複数のピン穴３１４の配置はこれに限らず適宜の配置としてよい。
【００４９】
図１５、図１６および図１７に、上記のようなＸ線管３００をＸ線管容器１２０内で支持するのに用いられるブラケット（ｂｒａｃｋｅｔ）４００の構成を示す。図１５および図１６は互いに反対側についての立面図、図１７は斜視図である。
【００５０】
これらの図に示すように、ブラケット４００は、概ね直角に曲がった腕木状の構造を持つ。すなわち、ブラケット４００は、基部４０２から垂直に立ち上がる垂直肢４０４およびそこから水平に延びる水平肢４０６を有する。水平肢４０６の先端寄りにはねじ貫通孔４１２および複数のピン貫通孔４１４が設けられている。これら各貫通孔の方向は、垂直肢４０４および水平肢４０６の延在方向に垂直である。
【００５１】
ねじ貫通孔４１２は、Ｘ線管３００の基部３１０のねじ穴３１２に対応するものであり、ねじ穴３１２に取り付けられるねじが挿通可能な内径を有する。複数のピン貫通孔４１４は、Ｘ線管３００の基部３１０の複数のピン穴３１４に対応するものであり、ピン穴３１４の内径と同一の内径を有する。
【００５２】
水平肢４０６の先端は片側から部分的に切除され、その部分において水平肢４０６の厚みが減じられている。ねじ貫通孔４１２および２つのピン貫通孔４１４はこの厚みが減じられた部分に設けられている。部分的な切除が行われない方の側面は図１６に示すように平面となっている。この平面は後述のようにＸ線管３００の基部３１０の端面が当接する平面となる。
【００５３】
ブラケット４００を構成する材料はＦＲ４である。ＦＲ４は前述のように電気絶縁性に優れることに加えて、図１８に機械的諸定数を示すように、構造材料としても優れた性質を持っている。
【００５４】
このようなブラケット４００が、図１９に示すように、Ｘ線管容器１２０の底板２０２の上面に取り付けられる。ブラケット４００は、底板２０２の一端寄りの所定の個所において、その上面に基部４０２の底面を当接させた状態でねじ止め等により取り付けられる。ブラケット４００は切除部がある側面が底板２０２の端部側となるように取り付けられる。
【００５５】
ブラケット４００にＸ線管３００を取り付けるに当たっては、図２０に示すようにＸ線管３００をブラケット４００に当接する。その際、Ｘ線管３００の基部３１０のねじ穴および複数のピン穴をブラケット４００のねじ貫通孔４１２および複数のピン貫通孔４１４にそれぞれ対応させて当接する。
【００５６】
そして、ブラケット４００側から、ねじ５１２をねじ貫通孔４１２を通してＸ線管３００のねじ穴３１２に取り付け、ねじ５１２を完全に締めない状態でＸ線管３００をブラケット４００に仮止めする。この状態で、ブラケット４００側から、複数のピン５１４を複数のピン貫通孔４１４を通してＸ線管３００の複数のピン穴３１４にそれぞれ挿入する。
【００５７】
ピン５１４はピン貫通孔４１４およびピン穴３１４の内径にゆるみなく適合する外径を持っており、そのようなピンをピン貫通孔４１４からピン穴３１４にかけて挿入することにより、ブラケット４００に対するＸ線管３００の位置関係が一義的にかつ精度良く規制される。その後にねじ５１２を完全に締め付けてＸ線管３００をブラケット４００に緊結する。
【００５８】
このように、ブラケット４００に対するＸ線管３００の位置関係すなわちアライメントが、ピン５１４とピン貫通孔４１４およびピン穴３１４とによって、Ｘ線管３００の取り付け段階で一義的かつ精度良く規制されるので、従来のように、Ｘ線管３００を所定位置に取り付けた後のアライメント調整は不要となる。
【００５９】
また、ブラケット４００はＦＲ４を材料として構成されるので、高電圧部となるＸ線管３００の基部３１０とグラウンド電位となるＸ線管容器１２０の底板２０２との間の絶縁を効果的に維持することができる。とくに、Ｘ線管３００を垂直肢４０４の先から延びる水平肢４０６の先端部分に取り付けるようにしたことにより、Ｘ線管３００の取り付け部から底板２０２までの沿面距離が長くなり良好な絶縁を維持することができる。
【００６０】
【発明の効果】
以上詳細に説明したように、本発明によれば、熱伝導性の良いＸ線遮蔽手段を備えたＸ線発生装置を実現することができる。
【図面の簡単な説明】
【図１】Ｘ線照射・検出装置の模式的構成図である。
【図２】Ｘ線発生装置の電気的構成を示すブロック図である。
【図３】Ｘ線発生装置の外観を示す略図である。
【図４】Ｘ線発生装置の分解図を示す略図である。
【図５】Ｘ線管容器の外観を示す略図である。
【図６】一部を除去したＸ線管容器の外観を示す略図である。
【図７】Ｘ線管容器の横断面を示す略図である。
【図８】銅合金の組成を示す図である。
【図９】銅合金の組成を示す図である。
【図１０】銅合金の組成を示す図である。
【図１１】真鍮の諸定数を鉛と対比して示す図である。
【図１２】ＦＲ４と鉛の複合材料の断面を示す略図である。
【図１３】ＦＲ４の諸定数を示す図である。
【図１４】Ｘ線管の外観を示す略図である。
【図１５】ブラケットの立面図である。
【図１６】ブラケットの立面図である。
【図１７】ブラケットの斜視図である。
【図１８】ＦＲ４の諸定数を示す図である。
【図１９】底板へのブラケットの取り付け状態を示す略図である。
【図２０】ブラケットへのＸ線管の取り付け状態を示す略図である。
【符号の説明】
１１０  ケース
１３０  高電圧部
１４０  蓋
１４２  Ｘ線出射窓
１５２〜１５８  回路基板
１２０  Ｘ線管容器
１２２  開口
２０２  底板
２０４  上板
２０６，２０６’  端板
２０８，２１０，２１０’  側板
３００  Ｘ線管
３１０  基部
３１２  ねじ穴
３１４  ピン穴
４００  ブラケット
４１２  ねじ貫通孔
４１４  ピン貫通孔
５１２  ねじ
５１４  ピン
【図１】
0003961262.tif 000002
【図２】
0003961262.tif 000003
【図３】
0003961262.tif 000004
【図４】
0003961262.tif 000005
【図５】
0003961262.tif 000006
【図６】
0003961262.tif 000007
【図７】
0003961262.tif 000008
【図８】
0003961262.tif 000009
【図９】
0003961262.tif 000010
【図１０】
0003961262.tif 000011
【図１１】
0003961262.tif 000012
【図１２】
0003961262.tif 000013
【図１３】
0003961262.tif 000014
【図１４】
0003961262.tif 000015
【図１５】
0003961262.tif 000016
【図１６】
0003961262.tif 000017
【図１７】
0003961262.tif 000018
【図１８】
0003961262.tif 000019
【図１９】
0003961262.tif 000020
【図２０】
0003961262.tif 000021